(57)【要約】      （修正有）【課題】車両の後方に延出したレべリングアームにスクリードを装着した舗装機械において、スクリードの振動の影響を作業者が受け難い作業用ステップを提供する。【解決手段】スクリード１３の後方にスクリード１３から離反して作業用のステップ１６を配置する。該ステップ１６の両側に支持ブラケット１７の一端を固着し、支持ブラケット１７の他端をレベリングアーム１５に取り付ける。【選択図】図１
2005036589.tif 000002
【特許請求の範囲】
【請求項１】
車体の両側から後方に向けてレベリングアームを延出し、該レベリングアームの後端にスクリードの外側面を装着した舗装機械に於いて、
前記スクリードの後方にスクリードから離反して作業用ステップを配置し、該ステップの両側に支持ブラケットの一端を固着し、該支持ブラケットの他端を前記レベリングアームに取り付けたことを特徴とする舗装機械の作業用ステップ。
【請求項２】
車体の両側から後方に向けてレベリングアームを延出し、該レベリングアームの後端にスクリードの外側面を装着した舗装機械に於いて、
前記スクリードの後方にスクリードから離反して作業用ステップを配置し、該ステップの両側に支持ブラケットの一端を固着し、該支持ブラケットの他端を前記車体に取り付けたことを特徴とする舗装機械の作業用ステップ。
【請求項３】
車体の両側から後方に向けてレベリングアームを延出し、該レベリングアームの後端にスクリードの外側面を装着し、該スクリードの左右両側に車体幅よりも延長する伸縮スクリードを備えた舗装機械に於いて、
中央部のスクリードの後方にスクリードから離反して作業用ステップを配置し、該ステップの両側に支持ブラケットの一端を固着し、該支持ブラケットの他端を前記レベリングアーム若しくは車体に取り付けるとともに、前記中央部のステップの幅内に左右のステップを収納可能に設け、左右のステップの夫々の外側端部が伸縮スクリードに係合し、伸縮スクリードの伸縮動作に伴って左右のステップが中央部のステップに対して伸縮可能に形成したことを特徴とする舗装機械の作業用ステップ。
【発明の詳細な説明】
【技術分野】
【０００１】
本発明は舗装機械の作業用ステップに関するものであり、特に、スクリードの後部に設けられる作業用ステップに関するものである。
【背景技術】
【０００２】
従来、此種舗装機械は車体の前部にアスファルト合材を受け入れるホッパを配設し、車体の両側から後方に向けてレベリングアームを延出し、該レベリングアームの後端にスクリードの外側面を装着している。そして、スクリードの後部にステップを固設し、作業者が該ステップに乗って舗装状態を見ながら作業を行えるように形成されている。また、車体幅より延長する伸縮スクリードを備えた舗装機械では、伸縮スクリードの後部に固設されたステップ上で作業を行うこともある（例えば、特許文献１参照）。
【特許文献１】特開平１１−１４０８１６号公報（第１〜４頁、図５〜図６）
【発明の開示】
【発明が解決しようとする課題】
【０００３】
一般に、舗装機械はアスファルト合材の締め固めを向上するため、スクリードに振動を与えながら敷き均し作業を行っている。従来のステップは、スクリードの後部に固設されているため、振動がステップに伝わって作業者はその振動を直接受けることになり、該振動が作業者の体に疲労を与えて長時間の作業は困難である。
【０００４】
また、車体幅より延長する伸縮スクリードを備えた舗装機械では、伸縮スクリードの後部にも左右のステップを固設してあるが、主スクリードのみならず伸縮スクリードも振動するため、その振動が左右のステップにも伝わって作業者はその振動を直接受けることになる。
【０００５】
そこで、スクリードの振動の影響を作業者が受け難い作業用ステップを提供するために解決すべき技術的課題が生じてくるのであり、本発明はこの課題を解決することを目的とする。
【課題を解決するための手段】
【０００６】
本発明は上記目的を達成するために提案されたものであり、請求項１記載の発明は、車体の両側から後方に向けてレベリングアームを延出し、該レベリングアームの後端にスクリードの外側面を装着した舗装機械に於いて、前記スクリードの後方にスクリードから離反して作業用ステップを配置し、該ステップの両側に支持ブラケットの一端を固着し、該支持ブラケットの他端を前記レベリングアームに取り付けた舗装機械の作業用ステップを提供する。
【０００７】
前記ステップはスクリードから離反して配置され、且つ、スクリードの支持ブラケットをレベリングアームに取り付けあるので、ステップに伝わるスクリードの振動が低減される。
【０００８】
請求項２記載の発明は、車体の両側から後方に向けてレベリングアームを延出し、該レベリングアームの後端にスクリードの外側面を装着した舗装機械に於いて、前記スクリードの後方にスクリードから離反して作業用ステップを配置し、該ステップの両側に支持ブラケットの一端を固着し、該支持ブラケットの他端を前記車体に取り付けた舗装機械の作業用ステップを提供する。
【０００９】
前記ステップはスクリードから離反して配置され、且つ、スクリードの支持ブラケットを車体に取り付けてあるので、ステップに伝わるスクリードの振動が低減される。
【００１０】
請求項３記載の発明は、車体の両側から後方に向けてレベリングアームを延出し、該レベリングアームの後端にスクリードの外側面を装着し、該スクリードの左右両側に車体幅よりも延長する伸縮スクリードを備えた舗装機械に於いて、中央部のスクリードの後方にスクリードから離反して作業用ステップを配置し、該ステップの両側に支持ブラケットの一端を固着し、該支持ブラケットの他端を前記レベリングアーム若しくは車体に取り付けるとともに、前記中央部のステップの幅内に左右のステップを収納可能に設け、左右のステップの夫々の外側端部が伸縮スクリードに係合し、伸縮スクリードの伸縮動作に伴って左右のステップが中央部のステップに対して伸縮可能に形成した舗装機械の作業用ステップを提供する。
【００１１】
伸縮スクリードが車体幅に収縮している状態では、左右のステップは中央部のステップの幅内に収納されている。前記伸縮スクリードが左右に拡張すると、伸縮スクリードに係合している左右のステップの外側端部が引かれて、左右のステップが外側へ引き出される。また、前記伸縮スクリードが車体幅よりも伸長している状態から中央に向けて収縮すると、伸縮スクリードに係合している左右のステップの外側端部が内側へ押されて、左右のステップが中央部のステップの幅内に収納される。
【発明の効果】
【００１２】
請求項１記載の発明は、スクリードの後方にスクリードから離反して作業用ステップを配置し、該ステップの支持ブラケットをレベリングアームに取り付けたことにより、該ステップに伝わるスクリードの振動を低減することができる。従って、ステップに乗っている作業者はスクリードの振動を受け難く、振動による作業者の疲労を防止でき、長時間の作業も可能となる。また、複雑な防振装置が不要であり、簡素な構成で安価に振動を防止できる。
【００１３】
請求項２記載の発明は、スクリードの後方にスクリードから離反して作業用ステップを配置し、該ステップの支持ブラケットを車体に取り付けたことにより、該ステップに伝わるスクリードの振動を低減することができる。従って、請求項１記載の発明と同様の効果を奏する。
【００１４】
請求項３記載の発明は、中央部のステップの幅内に左右のステップを収納可能に設け、左右のステップの夫々の外側端部が伸縮スクリードに係合しているので、伸縮スクリードの伸縮動作に伴って左右のステップが中央部のステップに対して伸縮可能となり、しかも、伸縮スクリードの振動が左右のステップに伝わり難い。従って、請求項１記載の発明と同様の効果を奏する。
【発明を実施するための最良の形態】
【００１５】
以下、本発明の一実施の形態を図面に従って詳述する。図１乃至図３は舗装機械の一例として、アスファルトフィニッシャ１０を示し、車体１１の前部にホッパ１２が配置され、該ホッパ１２に投入されたアスファルト合材はバーコンベヤ（図示せず）により後方へ搬送され、車体１１の後部から路面へ撒布されてスクリード１３により均等な厚さに敷き均される。符号１４は左右の駆動輪であり、該駆動輪１４は油圧モータ（図示せず）によって駆動される。
【００１６】
車体１１の両側から後方に向けてレベリングアーム１５を延出し、該レベリングアーム１５の後端に前記スクリード１３の外側面を装着してある。前記スクリード１３の後方には、スクリード１３から離反して作業用のステップ１６を配置し、該ステップ１６の左右両側に支持ブラケット１７の一端を固着し、該支持ブラケット１７の他端を前記レベリングアーム１５に取り付けてある。
【００１７】
該支持ブラケット１７は、スクリード１３に接触しないように側面視逆Ｌ字形に屈曲しており、該支持ブラケット１７に支持された前記ステップ１６もスクリードに接触していない。また、後述する伸縮スクリード１８，１９が拡張する際に、該支持ブラケット１７が側面視逆Ｌ字形に屈曲しているため、伸縮スクリード１８，１９に接触することはない。
【００１８】
前記スクリード１３の振動はレベリングアーム１５には殆ど伝達されず、前記ステップ１６はスクリード１３から離反してレベリングアーム１５に取り付けられているので、該ステップ１６に伝わるスクリード１３の振動が低減される。従って、ステップ１６に乗っている作業者はスクリード１３の振動を受け難く、振動による作業者の疲労を防止でき、長時間の作業も可能となる。また、レベリングアーム１５はスクリード１３の上下動に追従するので、該ステップ１６もスクリード１３の動きに追従して小スペースとなる。
【００１９】
ここで、前記スクリード１３の後方に、進行方向に対して左側へ拡張する伸縮スクリード１８と、右側へ拡張する伸縮スクリード１９を配置することもあり、伸縮スクリード１８，１９の後方にも、夫々伸縮スクリード１８，１９から離反して作業用のステップ２０，２１を配置してある。これら左右のステップ２０，２１の外側端部は、伸縮スクリード１８，１９に固設されたブラケット２２，２３に係止されている。
【００２０】
図４に示すように、中央部に設けられている前記ステップ１６は、その内部に上下２段の溝部２４，２５が設けられ、夫々の溝部２４，２５に前記左右のステップ２０，２１を収納してある。前述したように、左右のステップ２０，２１の外側端部は、伸縮スクリード１８，１９に固設されたブラケット２２，２３に係止されている。一方、左右のステップ２０，２１の内側端部上面に、剛性（ばね定数）の低い防振ゴム２６を装着する。また、前記溝部２４，２５の出口近傍底面にも同様の防振ゴム２７を装着してある。
【００２１】
伸縮スクリード１８，１９の伸縮動作に伴って、伸縮スクリード１８，１９と一体のブラケット２２，２３が移動すると、夫々のブラケット２２，２３に係止されている左右のステップ２０，２１が外側へ引き出され、或いは、内側へ押し込まれる。この状態では、左右のステップ２０，２１が夫々片持ち状態となるが、前記内側端部上面の防振ゴム２６が溝部２４，２５の天井面に当接するとともに、前記出口近傍底面の防振ゴム２７が左右のステップ２０，２１の下面に当接して支持するため、左右のステップ２０，２１が外側へ引き出されたときの撓みを最小限に抑止できる。
【００２２】
図５は右側の伸縮スクリード１９に固設されたブラケット２３の詳細を示し、図５（ａ）の構成は、ステップ２１の外側端部にブラケット２３の先端の幅よりも大きい孔２８を開穿し、該孔２８の縁部にゴム等の弾性材にて形成されたグロメット２９を嵌着する。ブラケット２３が外側（図中右方向）へ移動すると、該ブラケット２３の先端がグロメット２９の図中右側の内縁部に当接してステップ２１を外側へ引き出す。また、ブラケット２３の先端が内側（図中左方向）へ移動すると、該ブラケット２３の先端がグロメット２９の図中左側の内縁部に当接してステップ２１を内側へ押し込む。
【００２３】
従って、ステップ２１が停止した状態では該ステップ２１の孔２８とブラケット２３の先端とが間隙を有しているので、金属同士の接触がなく、伸縮スクリード１９の振動は該ステップ２１に殆ど伝わらない。また、ステップ２１が撓んで先端が下降した場合でも、グロメット２９があるため、ステップ２１の下面とブラケット２３は金属同士の接触を生じることがなく、該ステップ２１に伸縮スクリード１９の振動が伝わることを抑止できる。
【００２４】
図５（ｂ）の構成は、ステップ２１の外側端部に前述した大きい孔２８を開穿し、ブラケット２３に孔２３ａを開穿しておく。そして、前記ステップ２１の上方から前記孔２８へＴ字形の補助具２３ｂを差し込んで、その下端部をブラケット２３の孔２３ａに挿入する。尚、補助具２３ｂの両側には緩衝ゴム３０を装着しておく。ブラケット２３が外側（図中右方向）へ移動すると、前記補助具２３ｂが、緩衝ゴム３０を介して、ステップ２１の孔２８の図中右側の内縁部に当接してステップ２１を外側へ引き出す。また、ブラケット２３が内側（図中左方向）へ移動すると、前記補助具２３ｂが、緩衝ゴム３０を介して、ステップ２１の孔２８の図中左側の内縁部に当接してステップ２１を内側へ押し込む。
【００２５】
従って、ステップ２１が停止した状態では該ステップ２１の孔２８とブラケット２３の補助具２３ｂとが間隙を有しているので、金属同士の接触がなく、伸縮スクリード１９の振動は該ステップ２１に殆ど伝わらない。また、ステップ２１が撓んで先端が下降した場合でも、緩衝ゴム３０があるため、ステップ２１の下面とブラケット２３は金属同士の接触を生じることがなく、該ステップ２１に伸縮スクリード１９の振動が伝わることを抑止できる。
【００２６】
図５（ａ）の構成は、ブラケット２３の先端がステップ２１の上面に突出しているが、図５（ｂ）の構成は補助具２３ｂの頭部が平坦であるので、作業者が足を引っ掛ける虞がない。尚、図５に於いては、右側の伸縮スクリード１９に固設されたブラケット２３と右側のステップ２１との係止状態を説明したが、左側の伸縮スクリード１８に固設されたブラケット２２と左側のステップ２０との係止状態についても、左右対称であり、全く同様の作用効果を奏するものである。
【００２７】
図６乃至図８は作業用ステップの他の一例を示し、前記ステップ１６の左右両側に固着した支持ブラケット１７ａの他端を車体１１に取り付けてある。その外の構成は、図１乃至図６に示した構成とまったく同一であり、よって生じる作用効果も略同一であるので、重複説明は省略するものとする。
【００２８】
尚、本発明は、本発明の精神を逸脱しない限り種々の改変を為すことができ、そして、本発明が該改変されたものに及ぶことは当然である。
【図面の簡単な説明】
【００２９】
【図１】作業用ステップを取り付けたアスファルトフィニッシャの側面図。
【図２】作業用ステップを取り付けたアスファルトフィニッシャの平面図。
【図３】作業用ステップを取り付けたアスファルトフィニッシャの背面図。
【図４】（ａ）伸縮スクリードを収納した状態のステップの縦断面図。（ｂ）伸縮スクリードを拡張した状態のステップの縦断面図。
【図５】（ａ）伸縮スクリードに固設されたブラケットとステップとの係止状態の一例を示す縦断面図。（ｂ）伸縮スクリードに固設されたブラケットとステップとの係止状態の他の一例を示す縦断面図。
【図６】他の構成の作業用ステップを取付けたアスファルトフィニッシャの側面図。
【図７】他の構成の作業用ステップを取付けたアスファルトフィニッシャの平面図。
【図８】他の構成の作業用ステップを取付けたアスファルトフィニッシャの背面図。
【符号の説明】
【００３０】
１０        アスファルトフィニッシャ
１１        車体
１５        レベリングアーム
１６        ステップ
１７        支持ブラケット
１７ａ      支持ブラケット
２０        ステップ
２１        ステップ
【図１】
2005036589.tif 000003
【図２】
2005036589.tif 000004
【図３】
2005036589.tif 000005
【図４】
2005036589.tif 000006
【図５】
2005036589.tif 000007
【図６】
2005036589.tif 000008
【図７】
2005036589.tif 000009
【図８】
2005036589.tif 000010